(57)【要約】  パケットデータサービスのための通信システムで効率的なパケットデータ伝送のためのパケットデータ制御チャネルの送受信方法及び装置を提供する。端末機と、端末機にデータを送信し、また端末機に端末機の識別子情報とデータの伝送を制御するための情報を送信する基地局を含む通信システムで、基地局により制御情報を送信するための装置は、誤り検出ビット発生装置と、排他的論理和演算器と、送信器とを含む。誤り検出ビット発生器は、制御情報に付加するための誤り検出ビットを生成する。排他的論理和演算器は誤り検出ビットと識別子情報を排他的論理和して新たな誤り検出ビットを生成する。送信器は制御情報に前記新たな誤り検出ビットを付加して送信する。また、送信装置は、誤り検出ビットとビットを一致させるために、識別子情報にゼロビットを追加する追加器や、識別子情報をブロック符号化するブロック符号器をさらに含む。そして、制御情報にはデータの送信に使用されたウォルシュ符号を指示する情報が含まれる。
2005510962.tif 000002
【特許請求の範囲】
【請求項１】
端末機と、前記端末機にデータを送信し、また前記端末機に端末機の識別子情報と前記データの伝送を制御するための情報を送信する基地局を含む通信システムで、前記基地局により前記制御情報を送信するための方法において、
第１誤り検出ビットを生成する過程と、
前記第１誤り検出ビットと前記識別子情報を排他的論理和して第２誤り検出ビットを生成する過程と、
前記制御情報に前記第２誤り検出ビットを付加して新たな制御情報を生成する過程と、
前記新たな制御情報を伝送する過程と、を含むことを特徴とする前記方法。
【請求項２】
前記第１誤り検出ビットと前記識別子情報ビット数を一致させるために、前記識別子情報にゼロビットを追加する過程をさらに含むことを特徴とする請求項１記載の方法。
【請求項３】
前記第１誤り検出ビットと前記識別子情報ビット数を一致させるために、前記識別子情報をブロック符号化する過程をさらに含むことを特徴とする請求項１記載の方法。
【請求項４】
前記制御情報には前記データの送信に使用されたウォルシュ符号を指示する情報が含まれることを特徴とする請求項１記載の方法。
【請求項５】
少なくとも２以上の端末機と、前記端末機にデータを送信し、また前記端末機に端末機の識別子情報と前記データの伝送を制御するための情報を送信する基地局を含み、前記端末機のうち第１端末機は前記基地局からのデータ受信とき第１制御情報を受信し、前記端末機のうち第２端末機は前記基地局からのデータ受信とき前記第１制御情報と前記第２制御情報を受信する通信システムで、前記基地局により前記第２端末機に制御情報を送信するための方法において、
前記第１制御情報及び前記第２制御情報を受信し、前記第１及び第２制御情報に誤り検出ビットが付加された第３制御情報を生成する過程と、
前記第１誤り検出ビットと前記第２端末機の識別子情報を排他的論理和して第２誤り検出ビットを生成する過程と、
前記第２制御情報に前記第２誤り検出ビットを付加して第４制御情報を生成する過程と、
前記第４制御情報を伝送する過程と、を含むことを特徴とする方法。
【請求項６】
前記第１誤り検出ビットと前記第２識別子情報ビットを一致させるために、前記第２識別子情報にゼロビットを追加する過程をさらに含むことを特徴とする請求項５記載の方法。
【請求項７】
前記第１誤り検出ビットと前記第２識別子情報ビット数を一致させるために、前記第２識別子情報をブロック符号化する過程をさらに含むことを特徴とする請求項５記載の方法。
【請求項８】
前記第１制御情報及び前記第２制御情報には前記第１端末機及び前記第２端末機それぞれへのデータ送信に使用されたウォルシュ符号を指示する情報が含まれることを特徴とする請求項５記載の方法。
【請求項９】
端末機と、前記端末機にデータを送信し、また前記端末機に前記データの伝送を制御するための情報を送信する基地局を含む通信システムで、前記基地局から第１誤り検出ビットが付加された制御情報を前記端末機が受信するための方法において、
前記制御情報を受信する過程と、
前記第１誤り検出ビットと前記端末機の識別子情報を排他的論理和して第２誤り検出ビットを生成する過程と、
前記第１誤り検出ビットと前記第２誤り検出ビットを比較する過程と、
前記第１誤り検出ビットと前記第２誤り検出ビットが同一の場合、前記制御情報が自己の制御情報であることに判断する過程と、を含むことを特徴とする前記方法。
【請求項１０】
前記第１誤り検出ビットと前記識別子情報ビット数を 一致させるために、前記識別子情報にゼロビットを追加する過程をさらに含むことを特徴とする請求項９記載の方法。
【請求項１１】
前記第１誤り検出ビットと前記識別子情報ビット数を一致させるために、前記識別子情報をブロック符号化する過程をさらに含むことを特徴とする請求項９記載の方法。
【請求項１２】
前記制御情報には前記データの送信に使用されたウォルシュ符号を指示する情報が含まれることを特徴とする請求項９記載の方法。
【請求項１３】
端末機と、前記端末機にデータを送信し、また前記端末機に端末機の識別子情報と前記データの伝送を制御するための情報を送信する基地局を含む通信システムで、前記基地局により前記制御情報を送信するための装置において、
第１誤り検出ビットを生成する誤り検出ビット発生器と、
前記第１誤り検出ビットと前記識別子情報を排他的論理和して第２誤り検出ビットを生成する排他的論理和演算器と、
前記制御情報に前記第２誤り検出ビットを付加して新たな制御情報を生成し、前記新たな制御情報を送信する送信器と、を含むことを特徴とする前記装置。
【請求項１４】
前記第１誤り検出ビットとビット数を一致させるために前記識別子情報にゼロビットを追加するビット追加器をさらに含むことを特徴とする請求項１３記載の装置。
【請求項１５】
前記第１誤り検出ビットとビット数を一致させるために前記識別子情報をブロック符号化するブロック符号器をさらに含むことを特徴とする請求項１３記載の装置。
【請求項１６】
前記制御情報には前記データの送信に使用されたウォルシュ符号を指示する情報が含まれることを特徴とする請求項１３記載の装置。
【請求項１７】
端末機と、前記端末機にデータを送信し、また前記端末機に前記データの伝送を制御するための情報を送信する基地局を含む通信システムで、前記基地局から第１誤り検出ビットが付加された制御情報を前記端末機が受信するための装置において、
前記制御情報を受信する受信器と、
前記第１誤り検出ビットと前記端末機の識別子情報を排他的論理和して第２誤り検出ビットを生成する排他的論理和演算器と、
前記第１誤り検出ビットと前記第２誤り検出ビットを比較して、前記第１誤り検出ビットと前記第２誤り検出ビットが同一の場合、前記制御情報が自己の制御情報であることに判断する判断器と、を含むことを特徴とする前記装置。
【請求項１８】
前記第１誤り検出ビットとビット数を一致させるために前記識別子情報にゼロビットを追加するビット追加器をさらに含むことを特徴とする請求項１７記載の装置。
【請求項１９】
前記第１誤り検出ビットとビット数を一致させるために前記識別子情報をブロック符号化するブロック符号器をさらに含むことを特徴とする請求項１７記載の装置。
【請求項２０】
前記制御情報には前記データの送信に使用されたウォルシュ符号を指示する情報が含まれることを特徴とする請求項１７記載の装置。
【発明の詳細な説明】
【技術分野】
【０００１】
本発明は通信システムでパケットデータサービスのための装置及び方法に関し、特に送信されるパケットデータに対する制御情報を送受信する方法及び装置に関する。
【背景技術】
【０００２】
典型的な移動通信システムは音声サービスのみを支援する形態であったが、使用者要求と共に通信技術が発展することによって移動通信システムはデータサービスを支援する形態にも発展している趨勢である。
【０００３】
音声及びデータサービスを含むマルチメディアサービスを支援する移動通信システムは、同一の周波数帯域を使用して複数の使用者に音声及びデータサービスを支援する。この時、同一の周波数帯域を使用して複数の使用者に音声及びデータサービスを支援するためのシステムは、時分割(ＴＤＭ:Time Division Multiplexing)方式または符号分割(ＣＤＭ:Code Division Multiplexing)方式が代表的である。しかし、前記方法のみでは多くの使用者に十分なサービスを提供できない問題がある。即ち、より多くの使用者にサービスを提供しようとする場合、前記した時分割方式または符号分割方式のみでは多くの使用者を受容するのに限界があった。従って、より多くの使用者を受容するための方法が要求されている。  
【０００４】
一方、前記移動通信システムはパケットデータ伝送のためのパケットデータチャネル(ＰＤＣＨ:Packet Data Channel)と、前記パケットデータチャネルを通じたパケットデータの送受信方式を検出するなどパケットデータの伝送を制御するための情報を伝送するためのパケットデータ制御チャネル(ＰＤＣＣＨ:Packet Data Control Channel)を含む。前記パケットデータチャネルを通じてはパケットデータが物理階層パケット(ＰＬＰ:Physical Layer Packet)単位に伝送され、前記パケットデータ制御チャネルを通じて前記パケットデータチャネルの制御情報が伝送される。
【０００５】
図１は従来技術に従うパケットデータ制御チャネルの送信器構成図であり、通信システムの各端末にパケットデータ制御情報を時分割方式に送信する送信器の構成である。ここで、パケットデータ制御チャネルを通じて伝送される制御情報であるパケットデータ制御チャネル入力シーケンス(Packet Data Control Channel Input Sequence)のビット数は１８ビットと仮定したが、前記制御情報のビット数は１８ビットに制限されることではない。
【０００６】
前記パケットデータ制御情報には６ビットのＭＡＣ(Media Access Control)ＩＤ(Identifier)、２ビットのＳＰＩＤ(Sub-packet ID)、２ビットのＡＲＱ(Automatic Repeat Request)チャネル(Channel)ＩＤ、３ビットのペイロードサイズ(Payload Size)、５ビットのウォルシュ空間指示情報(Walsh Space Indicator)が含まれる。即ち、前記パケットデータ制御情報は例えば１８ビットのパケットデータ制御チャネル入力シーケンスである。前記ＭＡＣ ＩＤは使用者区分のための識別子である。前記ＭＡＣ ＩＤは高速パケットデータサービスを受けようとする各使用者に対してシステムアクセス(Access)時に割り当てられる。
【０００７】
通常的に高速パケット伝送移動通信システムで高速パケットデータ伝送チャネルを通じて伝送されるデータの伝送単位はサブパケット(Sub-packet)と称するが、ＳＰＩＤは一連のサブパケット(Sub-packet)それぞれに対する識別子として再伝送を支援するために使用される。前記ＡＲＱ(Automatic Repeat Request)チャネルＩＤは一つの使用者に連続的なデータ伝送を支援するための識別子として並列伝送チャネルを区別するのに使用される。また、ペイロード(Payload)サイズは一つのサブパケット(Sub-packet)をなす情報ビット数を示す。ウォルシュ空間指示情報はパケットデータチャネルに使用されたウォルシュ符号を指示するための情報を示す。
【０００８】
高速パケットデータサービスを受けようとする全ての端末は、システムアクセス(Access)のとき、基地局からＭＡＣ ＩＤが割り当てられ、パケットデータ制御チャネルを受信するごとにこれを復調して、ＭＡＣ ＩＤをみてから自己のパケットであるか否かを判断する。その後、自己のパケットが受信されたことに判断される場合、端末機はペイロード(Payload)サイズ、ＳＰＩＤ、ＡＲＱチャネル(Channel)ＩＤ、パケットデータチャネルに使用されたウォルシュ符号などの情報を利用してパケットデータチャネルを復調する。
【０００９】
前記パケットデータ制御チャネルを通じて伝送される制御情報は誤り検出ビット付加部１０１により符号化される。前記誤り検出ビット付加部１０１は受信器が前記制御情報に対する伝送誤りを感知できるようにするために、前記制御情報を符号化し、前記制御情報に誤り検出ビットが付加された情報を発生する。例えば、前記誤り検出ビット付加部１０１は１８ビットの制御情報をＣＲＣ(Cyclic Redundancy Code)を使用して符号化し、前記制御情報に８ビットの誤り検出ビットが付加された２６ビットの制御情報を発生する。前記ＣＲＣにより発生する付加ビット(Redundancy Bit)の数を大きくすると、伝送誤りを検出する性能を増加させることができる。
【００１０】
テールビット付加部１０２は前記誤り検出ビット付加部１０１の出力制御情報にテールビット(tail bits)を付加して畳み込み符号器(Convolutional Encoder)１０３に出力する。前記畳み込み符号器１０３は前記テールビット付加部１０２の出力を畳み込み符号化し、符号化されたシンボルをパンクチュア(puncturer)１０４に出力する。前記テールビット付加部１０２は前記畳み込み符号器１０３による畳み込み符号化のために、全て“０”で構成された８ビットのテールビットを付加する。このようにテールビットが付加された出力は前記畳み込み符号器１０３により予め設定された符号化率(例:Ｒ=１/２)に畳み込み符号化される。
【００１１】
パンクチュア１０４は性能低下を最小化し、適切な伝送率に整合されるようにするために、前記畳み込み符号器１０３の出力シンボル中で予め設定された数(例:２０個)のシンボルをパンクチュアリング(puncturing)してインタリーバ(Interleaver)１０５に出力する。インタリーバ１０５は前記パンクチュア１０４の出力シンボルをインタリービングする。このようなインタリーバ１０５を使用する理由は畳み込み符号化がバースト誤り(burst error)に弱いので、これを解消するためにシンボルの順序を交じってバースト誤り確率を減少させるためのものである。変調器(Modulator)１０６は前記インタリーバ１０５によりインタリービングされたシンボルをＱＰＳＫ(Quadrature Phase Shift Keying)のような変調方式に変調し、伝送のための変調シンボルを発生する。
【００１２】
図２は従来技術に従うパケットデータ制御チャネル受信器の構成図であり、前記図１に示したように通信システムの各端末にパケットデータ制御チャネル情報をＴＤＭ方式に送信する送信器に対応する受信器の構成である。
図２を参照すると、前記図１の構成により生成されたデータは無線チャネルを通じて伝送され受信器に受信される。このように無線チャネルを通じて送信された無線信号はさらに周波数下降変換器(図示せず)により周波数下降変換された後、送信時の伝送シンボルに変換される。このように変換されたシンボルはデインタリーバ(deinterleaver)２０１に入力される。前記デインタリーバ２０１は入力されたシンボルをデインタリービング(deinterleaving)してこれを逆パンクチュア(depuncturer)２０２に出力する。前記逆パンクチュア２０２はデインタリービングされたシンボルに逆パンクチュアリング(depuncturing)を遂行した後、畳み込み復号器(convolutional decoder)２０３に出力する。前記畳み込み復号器２０３は逆パンクチュアリングされたシンボルを畳み込み復号化して出力する。前記畳み込み復号化されたデータはＣＲＣ検査器(checker)２０４によりＣＲＣ検査が遂行される。即ち、前記ＣＲＣ検査器２０４は畳み込み復号器２０３により畳み込み復号化されたシンボルに対してＣＲＣ検査動作を遂行する。これによって誤りが存在するか否かが検出される。パケットデータ制御情報検出器２０５は前記ＣＲＣ検査器２０４の検査結果に応じて、ＣＲＣ‘good’である場合には１８ビットのパケットデータ制御情報を出力し、ＣＲＣ‘fail’である場合にはナル(null)の制御情報を出力する。
【００１３】
上述したような従来のパケットデータ制御チャネル送信器及び受信器は、パケットデータチャネルがＴＤＭ形態に伝送される場合のみに可能な構造である。従って、従来技術に従う送信器及び受信器を含む移動通信システムは多くの使用者を受容できない形態を有するシステムである。従って、現在にはより多くの使用者にサービスを支援するために時分割方式と符号分割方式を同時に適用する移動通信システムが考慮されている。即ち、同一の時間に多数の使用者に相異なるコードを付与してデータを伝送する方式が考慮されている。このように時分割及びコード分割方式を全て適用するためのシステムを上述した図１及び図２にそれぞれ示された送信器及び受信器と同一の構成に具現する場合には、使用者の区分及び正確なデータ伝送を遂行できないとの問題が発生する。
【発明の開示】
【発明が解決しようとする課題】
【００１４】
従って、本発明の目的は、ＴＤＭ/ＣＤＭ形態にパケットデータチャネルが伝送される場合、これを支援するためのパケットデータ制御チャネルの送受信方法及び装置を提供することにある。
本発明の他の目的は、複数の使用者にパケットデータを同時に伝送するためのパケットデータ制御チャネルの送受信方法及び装置を提供することにある。
【課題を解決するための手段】
【００１５】
このような目的を達成するための本発明によると、端末機と、前記端末機にデータを送信し、また前記端末機に端末機の識別子情報と前記データの伝送を制御するための情報を送信する基地局を含む通信システムで、前記基地局により前記制御情報を送信するための装置は、誤り検出ビット発生装置と、排他的論理和演算器と、送信器とを含む。
【００１６】
前記誤り検出ビット発生器は、前記制御情報に付加するための誤り検出ビットを生成する。前記排他的論理和演算器は前記誤り検出ビットと前記識別子情報を排他的論理和して新たな誤り検出ビットを生成する。前記送信器は前記制御情報に前記新たな誤り検出ビットを付加して送信する。
【００１７】
望ましくは、前記送信装置は、前記誤り検出ビットとビットを一致させるために、前記識別子情報にゼロビットを追加する追加器や、前記識別子情報をブロック符号化するブロック符号器をさらに含む。そして、前記制御情報には前記データの送信に使用されたウォルシュ符号を指示する情報が含まれる。
【発明の効果】
【００１８】
本発明は、パケットデータの伝送のための移動通信システムにおいて、本発明で提案しているパケットデータ制御チャネルを使用することにより、ＴＤＭ/ＣＤＭ形態のパケットデータ伝送を遂行することができる利点がある。特に、本発明で提案している誤り検出符号発生装置及び検査装置を使用することにより、第２使用者は第１パケットデータ制御チャネルに伝送される情報を利用することができる利点がある。また、基地局が使用者識別子を割り当てる過程で前記誤り検出符号と同一のサイズを有するようにゼロパディング(zero padding)するか、ブロック符号化して使用者識別子を割り当てることにより、自己の使用者識別子が伝送されない端末に対して自己の使用者識別子が伝送されたことに誤断する確率を低減することができる。
【発明を実施するための最良の形態】
【００１９】
以下、本発明に従う好適な一実施形態について添付図を参照しつつ詳細に説明する。下記の説明において、本発明の要旨のみを明瞭にする目的で、関連した公知機能又は構成に関する具体的な説明は省略する。
下記ではパケットデータの伝送のための移動通信システムで前記パケットデータの制御情報を送受信する本発明の実施形態に従うパケットデータ制御チャネル送信器及び受信器が説明される。本発明の実施形態に従う送信器は前記制御情報が伝送され受信器で正常的に受信されたか否かを検出できるようにするために前記制御情報に誤り検出のための情報を付加させる付加情報発生装置であるＣＲＣ(Cyclic Redundancy Code)発生器を含む。このような本発明の実施形態に従う送信器及び受信器は移動通信システムだけではなく、パケットデータを伝送し、またこのようなパケットデータの効率的な伝送のために制御情報を伝送する通信システムでも同一に適用できることに留意すべきである。
【００２０】
従来のＴＤＭ方式は特定時間区間の間１名の使用者データのみが伝送される方式を意味する。この時、該当使用者のデータを伝送するためにはデータチャネルで使用可能な全てのウォルシュ符号(Walsh Code)が全部使用される。これに対してＴＤＭ/ＣＤＭ方式はデータ伝送区間の間同時に多数の使用者データが伝送される方式を意味する。この時、使用者のデータを伝送するにはデータチャネルで使用可能なウォルシュ符号のうち一部分の符号が割り当てられ使用される。前記の差異によりＴＤＭ伝送のみを支援するパケットデータチャネルを有するシステムに比べてＴＤＭ/ＣＤＭ伝送を支援するパケットデータチャネルを有するシステムの場合、各使用者データチャネルに使用されたウォルシュ符号情報などを知らせる必要がある。
【００２１】
また、ＴＤＭ/ＣＤＭ方式が混用されるシステムの送/受信端ではＣＤＭが使用されるか否か及び何名の使用者がＣＤＭに区分されるかを示すそれぞれの使用者に対するパケットデータ制御情報を送受信する必要がある。下記の実施形態では第１パケットデータ制御チャネル(Packet Data Control Channel:ＰＤＣＣＨ)と第２パケットデータ制御チャネルの送受信構造を支援する移動通信システムが説明される。即ち、本発明の具体的な説明ではパケットデータチャネルが二人の使用者に対してＣＤＭされ、二人の使用者に対するパケットデータが伝送される場合、これを支援することができるパケットデータ制御チャネルを説明する。しかし、下記の説明と類似した方法にＣＤＭされた使用者の数が、三人、四人・・・に増加されるにつれて第３パケットデータ制御チャネル、第４パケットデータ制御チャネル、・・・の送受信構造を支援する通信システムに拡張されることもできる。
【００２２】
下記で説明される本発明は移動通信システムの送信器の第２パケットデータ制御チャネルでＣＲＣを生成する方法に、従来技術で一般的に使用したＣＲＣ生成方法を使用せず、第１パケットデータ制御情報のうち第１使用者のパケットデータに使用されたウォルシュ符号を指示する情報を共に使用して第２パケットデータ制御チャネルのＣＲＣを生成することを特徴とする。また前記チャネルに対する受信器構造として第１パケットデータチャネル及び第２パケットデータ制御チャネルそれぞれに割り当てられたウォルシュ関数を利用して各チャネルを受信、復調した後、誤り検出符号を検査過程で第１パケットデータ制御チャネルで得られた第１使用者のパケットデータに使用されたウォルシュ符号を指示する情報を共に使用することを特徴とする。
【００２３】
図３は本発明の望ましい実施形態に従うパケットデータ制御チャネル送信動作の処理流れ図である。ここで、送信器は移動通信システムの基地局に含まれる送信器であり、使用者は二人である場合、即ち前記送信器により支援される端末の数が２である場合に仮定されている事実に留意すべきである。しかし、前述したように使用者の数が３名、４名、・・・に増加するとしても本発明の原理は同一に適用できるだろう。このような処理流れに従う動作は後述されるパケットデータ制御チャネル送信器により遂行される。
【００２４】
前記図３を参照すると、基地局は３０１段階でスケジューリングに必要な情報を受信する。このようなスケジューリングに必要な情報には端末機に提供されるサービス品質及び端末機とのチャネル状況などの情報が含まれることができる。３０１段階でスケジューリングに必要な情報が受信されると、基地局は３０２段階でスケジューリングを遂行する。前記スケジューリングも具現されるスケジューラによって相異であるように構成され得るので、これに対しても具体的な説明は省略する。
【００２５】
スケジューリングが遂行されると、３０３段階で基地局はパケットデータチャネル(Packet Data Channel:ＰＤＣＨ)がコード分割されるかを検査する。このような検査結果は前記３０２段階のスケジューリング結果に従うもので、時分割方式のみが使用されるべき場合と、時分割及びコード分割方式が全て使用されるべき場合に区分することができる。即ち、前記コード分割方式が使用されるべき場合は同一のタイムスロットに少なくとも二つ以上の使用者が割り当てられる場合である。前記３０３段階の検査結果、コード分割方式が使用されるべき場合には３０６及び３０８段階に進行され、コード分割方式が使用されない場合には３０４段階に進行される。
【００２６】
前記３０３段階の検査結果、コード分割が使用されない場合、前記基地局は３０４段階で前記３０２段階のスケジューリングにより選択された端末に送信パケットデータ制御情報に付加するための誤り検出ビットであるＣＲＣビットを付加する。ここで、誤り検出ビットは後述される図５Ａ及び図５Ｂで示したような装置及び方法により生成される。前記基地局は３０４段階で誤り検出ビットを付加した後、３０５段階に進行して前記誤り検出ビットが付加されたパケットデータ制御情報を第１パケットデータ制御チャネルを通じて伝送する。ここで、誤り検出ビットが付加されたパケットデータ制御情報は後述される図４に示したような装置により伝送される。
【００２７】
もし、ＴＤＭ/ＣＤＭが共に使用される場合、基地局は３０６段階乃至３０７段階の過程を通じて第１使用者のためのパケットデータ制御情報を生成して伝送する。また基地局は３０８段階乃至３０９段階を通じて第２使用者のためのパケットデータ制御情報を生成して伝送する。即ち、本発明は第１使用者と第２使用者を区分し、前記区分されたことにより誤り検出ビットを相異なるように生成して第１使用者と第２使用者のための制御情報にそれぞれ付加する。
【００２８】
また本発明は前記第１使用者と第２使用者に相異なるチャネルを通じて前記誤り検出ビットが付加された制御情報を伝送する。これを詳述すると、基地局は第１使用者のみのための誤り検出ビットを生成し、前記誤り検出ビットが付加されたパケットデータ制御情報を第１パケットデータ制御チャネルを通じて前記第１使用者に伝送する。そして、また基地局は第２使用者のみのための誤り検出ビットを生成し、前記誤り検出ビットが付加されたパケットデータ制御情報を第２パケットデータ制御チャネルを通じて前記第２使用者に伝送する。前記第１及び第２使用者のみのために誤り検出ビットを生成する動作は、後述される図５Ａ、図５Ｂ及び図６で詳細に説明される。
【００２９】
図４は本発明の望ましい実施形態に従うパケットデータ制御チャネル送信器のブロック構成図である。パケットデータチャネルにＴＤＭのみが使用される場合、前記図４のような構造を有するパケットデータ制御チャネル送信器１個が設けられ、ＣＤＭ/ＴＤＭが使用される場合には前記図４のような構造を有するパケットデータ制御送信器２個が設けられる。下記で説明の便宜上、１個のパケットデータチャネルが伝送される場合、該当パケットデータ制御チャネルを第１パケットデータ制御チャネル(ＰＤＣＣＨ１)と称し、２個のパケットデータ制御チャネルが伝送される場合、一番目使用者に対する制御情報が伝送されるチャネルを第１パケットデータ制御チャネル(ＰＤＣＣＨ１)、二番目使用者に対する制御情報が伝送されるチャネルを第２パケットデータ制御チャネル(ＰＤＣＣＨ２)として説明する。即ち、前記第１及び第２パケットデータ制御チャネルは同一の構造を有するが、それぞれ使用者によってパケットデータ制御情報は相異であるように伝送される。
【００３０】
前記図４を参照すると、本発明の実施形態に従うパケットデータ制御チャネル送信器は、図１に示された従来技術に従うパケットデータ制御チャネル送信器を構成する要素である誤り検出ビット付加部４０２、テールビット付加部４０３、畳み込み符号器４０４、パンクチュア４０５、インタリーバ４０６、変調器４０７を含んで構成されるだけではなく、制御器４０１と、パケットデータチャネルスケジューラ４０８をさらに含んで構成されることを特徴とする。そのため、下記では本発明の特徴的な構成要素のみに対して具体的に説明する。前記制御器４０１はパケットデータチャネルスケジューラ４０８から該当時点で伝送されるパケットデータチャネルのＣＤＭが使用されるか否かに対する情報を受信する。すると、前記制御器４０１は前記受信されたＣＤＭ使用に対する情報に基づいてスケジューリングされた使用者のパケットデータに対する制御情報(Packet Data Control Information or Packet Data Control Channel Input Sequence)を誤り検出ビット付加部４０２に出力する。また前記制御部４０１は前記誤り検出ビット付加部４０２を本発明に従う方法に制御して誤り検出ビットを生成し、前記入力された使用者制御情報と共に符号化され出力されるようにする。前記誤り検出ビット付加部４０２の具体的な構成及び動作に対しては後述される図５Ａ、図５Ｂ及び図６を参照して詳細に説明する。
【００３１】
第１及び第２パケットデータ制御チャネルを通じて伝送される制御情報であるパケットデータ制御チャネル入力シーケンス(Packet Data Control Channel Input Sequence)のビット数は図４で示したように１８ビットと仮定した。ここで、前記制御情報のビット数は１８ビットに制限されることではないという事実に留意すべきである。前記１８ビットのうち５ビットのウォルシュ空間指示情報(Walsh Space Indicator)は該当使用者のパケットデータチャネルに使用されたウォルシュ符号を知らせる情報である。例えば、前記ウォルシュ空間指示情報は一連の使用可能なウォルシュ符号のうち該当使用者のパケットデータチャネルに使用されたウォルシュ符号の最後のウォルシュ符号を指示する情報になることができる。
【００３２】
図５Ａ及び図５Ｂは本発明の望ましい実施形態に従う第１パケットデータ制御チャネル送信器に対する誤りビット付加部の構成及びその動作過程の例を示すブロック構成図である。特に、前記図５Ａ及び図５Ｂは第１使用者のためのＣＲＣを生成する装置の構成及びその動作過程を具体的に提示する。
【００３３】
図５Ａを参照すると、参照符号５０１は一般的に使用される誤り検出符号発生装置の構造を示す。第１使用者に対する７ビットの制御情報(1st user control Information)５０２と前記第１使用者に対する５ビットのウォルシュ空間指示情報(Walsh Space Information、Walsh Space Indicator or Walsh Code Index Information)５０３が第１スイッチ５１０のａ端子に入力される。前記第１スイッチ５０１はａ端子とｂ端子を有するスイッチとして、ｂ端子には“０”の情報が入力され、a端子には前記制御情報及びウォルシュ空間指示情報が入力される。以後、説明されるスイッチは全て前記スイッチ５１０と同一の構造を有し、ａ端子はデータ入力端になり、ｂ端子は‘０’ビットが入力される端子になる。このようなスイッチ５１０、５１１、５１２は後述される方法により制御される。前記第１使用者に対する７ビットの使用者制御情報５０２は前記図４の入力シーケンスで第１使用者に対する２ビットＳＰＩＤ、２ビットＡＲＱ ＩＤ、３ビットペイロードサイズ(Payload Size)を示す。即ち、前記図４の前記制御器４０１は第１使用者のパケットデータ制御情報１８ビットうちで６ビットの使用者識別子(ＭＡＣ ＩＤ)を除外した１２ビットの制御情報５０２、５０３のみが誤り検出符号発生装置５０１に入力されるように制御する。
【００３４】
参照符号５０４は前記誤り検出符号発生装置５０１のスイッチング動作を説明するための参照符号である。誤り検出符号発生装置の入力ビットの数、即ち、１２ビットが入力されるまではスイッチ５１０、５１１、５１２が上に向けられている。そしてその次の８ビットが入力される間に前記スイッチ５１０、５１１、５１２は下に向けている。参照符号５０５は前記誤り検出符号発生装置の出力ビットを示す。これは前記誤り検出符号発生装置の入力ビット１２ビットと８ビットの誤り検出符号で構成されている。参照符号５０６は前記誤り検出符号発生装置の出力ビットのうち誤り検出符号に該当する８ビットが第１使用者の使用者識別子(ＭＡＣ ＩＤ)と排他的論理和(Exclusive OR)演算され新たな誤り検出ビットが生成される過程を示している。前記排他的論理和演算は排他的論理和演算器５０８により遂行される。 本発明ではＭＡＣ ＩＤが６ビットである場合を例に挙げているが、５０６過程でＣＲＣ８ビットと排他的論理和(Exclusive OR)演算されるとき、ビット数を同一にするために使用者識別子(ＭＡＣ ＩＤ)６ビットの前部分または後部分に二つのビットを‘００’に満たすようにする。例えば、使用者識別子(ＭＡＣ ＩＤ)が‘０１０１１０’である場合、ＣＲＣ８ビットと排他的論理和(Exclusive OR)演算されるビットは‘０００１０１１０’または‘０１０１１０００’になる。ＭＡＣ ＩＤとＣＲＣビットが同一の場合は、排他的論理和演算のみが遂行される。
【００３５】
上述した誤り検出符号発生装置は本発明の理解を助けるために８ビットの誤り検出符号を生成する例を提示しているが、誤り検出能力の向上のために１０、１２、１４、１６ビットの誤り検出符号発生装置が使用され得ることは自明な事実である。
【００３６】
上述したように図５Ａの５０６過程ではＣＲＣビットとＭＡＣ ＩＤ(使用者識別子)のビット数をあわせるために、ＭＡＣ ＩＤの前部分(front)または後部分(end)を‘００’に満たすようにしている。この方法を使用する場合、特定端末は自己のＭＡＣ ＩＤが伝送されなかったにもかかわらず自己のＭＡＣ ＩＤに判断する確率が高い場合がある。例えば、伝送されるＭＡＣ ＩＤが‘００１１００’である場合、‘００１０００’、‘１０１１００’、‘０００１００’、・・・など伝送されるＭＡＣ ＩＤと一つのビットのみが異なるＭＡＣ ＩＤを有する端末は、その異なるビットで誤りが発生すると、自己のＭＡＣ ＩＤが伝送されたことに誤判するようになる。このような誤判の確率は‘１１００１１’、‘１１０００１’、・・・など伝送されるＭＡＣ ＩＤと各種ビットが異なるＭＡＣ ＩＤを有する端末に比べて自己のＭＡＣ ＩＤが伝送されたことに誤判する確率より非常に高い。
【００３７】
このような問題点を解決するために、本発明は基地局がブロック符号を利用してＭＡＣ ＩＤを符号化し、この符号化されたＭＡＣ ＩＤを端末に割り当てる図５Ｂに示したような技術を提案する。図５Ｂを参照すると、ＭＡＣ ＩＤは(ｎ,ｋ)ブロック符号化(ここで、ｎは誤り検出符号ビット数、ｋはＭＡＣ ＩＤビット数を示す。)され、ブロック符号化されたシーケンスがＭＡＣ ＩＤに割り当てられる。例えば、６ビットのＭＡＣ ＩＤを使用し、８ビットの誤り検出符号を使用するシステムで、(８,６)ブロック符号化した後に得られる８ビットのブロック符号化されたシーケンスがＭＡＣ ＩＤに割り当てられ使用されることができる。このようなＭＡＣ ＩＤを割り当てる過程は端末のアクセス(Access)過程でシグナリングメッセージを通じて遂行される。即ち、端末のアクセス過程で、図５Ａの実施形態によると、基地局は６ビットのＭＡＣ ＩＤを該当する端末に割り当てるが、ブロック符号化を利用する図５Ｂの実施形態によると、基地局は８ビットのＭＡＣ ＩＤを該当する端末に割り当てるようになる。ここで、注意すべき点は基地局が８ビットに表現可能な２５６個のＭＡＣ ＩＤを全て使用することではなく、(８,６)ブロック符号化された６４個のシーケンスをＭＡＣ ＩＤに使用することである。前記の方法に、ＭＡＣ ＩＤを割り当てた基地局は前記図５Ｂの５０６過程で処理される誤り検出符号ビット数とＭＡＣ ＩＤのビット数が同一であるので、‘０’に満たすことなく前記誤り検出符号とＭＡＣ ＩＤ間の排他的論理和(Exclusive OR)演算過程を遂行する。また、後述の端末の受信過程で端末は自己のＭＡＣ ＩＤと受信された誤り検出符号を排他的論理和演算する過程で、‘０’を満たすことなく自己のＭＡＣ ＩＤに該当するブロックシーケンスを受信された誤り検出符号と排他的論理和演算過程を遂行する。このようにブロック符号化されたシーケンスをＭＡＣ ＩＤに割り当てることにより、上述した図５Ａでの問題点、即ち、伝送されるＭＡＣ ＩＤと自己のＭＡＣ ＩＤ間に差異があるビット数が相対的に少ない端末で発生し得る誤り確率を低減できる利点がある。前記(ｎ,ｋ)ブロック符号化過程でｎは誤り検出符号のビット数であるので、８、１０、１２、１４、１６などが使用されることができ、ｋ値はシステムで使用しようとする使用者識別子の数によって６、７、８、９、１０、・・・などが使用されることができる。
【００３８】
前記図５Ｂに示された本発明の実施形態によると、基地局は次のような段階にパケットデータ制御情報を伝送する。このような実施形態は図６に示された第２パケットデータ制御チャネル送信器にも同一に適用されることができる。
【００３９】
(段階１)  制御情報に図４の誤り検出ビット付加部４０２によりｎビットの第１誤り検出ビットが付加される。ここで、第１誤り検出ビットはＣＲＣビットになることができ、前記制御情報はウォルシュ空間指示情報(Walsh Space Indicator)、パケット識別子情報(ＳＰＩＤ)、ペイロード(Payload)サイズ情報、ＡＲＱチャネルＩＤになることができる。
【００４０】
(段階２)  パケットデータが受信される端末機を示すｋビットの使用者識別子(ＭＡＣ ＩＤ)情報が(ｎ,ｋ)ブロック符号化器(図示せず)により符号化される。ここで、ｎは第１誤り検出ビットのビット数であり、ｋはＭＡＣ ＩＤのビット数である。例えば、ｎは８になることができ、ｋは６になることができる。
【００４１】
(段階３)  前記第１誤り検出ビットと前記ブロック符号化された使用者識別子情報が排他的論理和演算器(図５Ｂの５０８)により排他的論理和演算され、第２誤り検出ビットとして生成される。
【００４２】
(段階４)  前記生成された第２誤り検出ビットが前記制御情報に付加された後、送信器により送信される。ここで、送信器は図４に示されたテールビット付加部４０３、畳み込み符号器４０４、パンクチュア４０５、インタリーバ４０６、変調器４０７のような構成要素になることができる。
【００４３】
前述したような(段階１)〜(段階３)により新たに生成された誤り検出符号８ビットと共に参照符号５０２、５０３の１２ビット制御情報は、前記図４のテールビット付加部４０３に入力される。前記図５Ａ及び図５Ｂの参照符号５０７は前記図４の畳み込み符号器４０４に入力される最終シーケンス２８ビットを示している。
【００４４】
図６は本発明の望ましい実施形態に従う第２パケットデータ制御チャネル送信器の構成及びその動作過程のブロック構成を示す図である。特に、前記図６は第２使用者のためのＣＲＣを生成する装置の構成及びその動作過程を具体的に示す。
前記図６の参照符号５０１は一般的に使用される誤り検出符号発生装置の構造を示すが、この構造は図５Ａ及び図５Ｂに示された誤り検出符号発生装置と同一である。参照符号６０１、６０２、６０３は誤り検出符号発生装置５０１の入力ビットを示している。前記第２使用者制御情報(2nd user control Information)６０１は前記図４の入力シーケンスのうちで第２使用者に対する２ビットＳＰＩＤ、２ビットＡＲＱ ＩＤ、３ビットペイロードサイズ(Payload Size)を示し、前記第１使用者ウォルシュ空間指示情報(1st Walsh space Information)６０２は第１使用者パケットデータチャネルで使用されたウォルシュ符号を指示する情報５ビットを示し、第１パケットデータ制御チャネルに伝送される情報である。前記第２使用者ウォルシュ空間指示情報(2nd Walsh space Information)６０３は第２使用者パケットデータチャネルで使用されたウォルシュ符号を指示する情報５ビットを示す。前記図４の制御器４０１は第２使用者のパケットデータ制御情報１８ビットのうちで６ビット使用者識別子(ＭＡＣ ＩＤ)を除外した１２ビットの情報６０１、６０３及び第１パケットデータ制御チャネルを通じて伝送される情報である第１使用者パケットデータチャネルで使用されたウォルシュ符号を指示する５ビット の情報６０２の総１７ビットが誤り検出符号発生装置に入力されるように制御する。本発明はこのように第２パケットデータ制御チャネルに使用される誤り検出符号発生装置の入力に第２使用者の制御情報だけではなく、第１使用者のウォルシュ空間指示情報を共に使用する。
【００４５】
参照符号６０４は前記誤り検出符号発生装置５０１のスイッチング動作を説明するための参照符号である。誤り検出符号発生装置の入力ビットの数、即ち、１７ビットが入力されるまではスイッチ６１０、６１１、６１２が上に向けられており、その次の８ビットが入力される間に前記スイッチ６１０、６１１、６１２は下に向けられている。
【００４６】
参照符号６０５は前記誤り検出符号発生装置５０１の出力ビットを示す。これは前記誤り検出符号発生装置の入力ビット１７ビットと８ビットの誤り検出符号で構成されている。参照符号６０６は前記誤り検出符号発生装置の出力ビットのうち誤り検出符号に該当する８ビットが第２使用者の使用者識別子(ＭＡＣ ＩＤ)と排他的論理和(Exclusive OR)演算され新たな誤り検出ビットが生成される過程を示している。本発明では使用者識別子(ＭＡＣ ＩＤ)が６ビットである場合を例に挙げているが、６０６過程でＣＲＣ８ビットと排他的論理和(Exclusive OR)演算されるとき、ビット数を同一にするために使用者識別子(ＭＡＣ ＩＤ)６ビットの前部分または後部分に二つのビットを‘００’に満たすようにする。例えば、使用者識別子(ＭＡＣ ＩＤ)が‘０１０１１０’である場合、ＣＲＣ８ビットと排他的論理和(Exclusive OR)演算されるビットは‘０００１０１１０’または‘０１０１１０００’になる。
【００４７】
前記６０５過程により新たに生成された誤り検出符号８ビットと共に参照符号６０１、６０２、６０３の１７ビット制御情報は前記図４のテールビット付加部４０３に入力される。前記図６の参照符号６０７は前記図４の畳み込み符号器４０４に入力される最終シーケンス２８ビットを示している。
【００４８】
この時、前記参照符号６０７に示しているように、誤り検出ビット発生装置の入力に使用された第１使用者に対するウォルシュ空間指示情報５ビットは、前記図４の畳み込み符号器４０４に入力されていないとの事実に留意すべきである。言い換えれば、第１使用者に対するウォルシュ空間指示情報５ビットが誤り検出符号の生成には反映されたが、実際に伝送されてはいないことが分かる。
【００４９】
図７は本発明の望ましい実施形態に従うパケットデータ制御チャネルの受信動作に対する処理流れを示す図である。このような処理流れに従う動作は、後述されるパケットデータ制御チャネル受信器により遂行される。
前記図７を参照すると、７０１段階でパケットデータ制御チャネル受信器は第１パケットデータ制御チャネルを受信及び復調する。これに対する詳細な受信器の構造及び動作については下記図８で説明する。前記受信器は前記第１パケットデータ制御チャネルの信号を受信して復調した後、７０２段階で前記第１パケットデータ制御チャネルに対する誤り検出符号であるＣＲＣを検査する。前記受信器は７０３段階で誤り検出符号の検査結果を判断する。誤り検出符号の検査結果が正常(normal)である場合、前記受信器は７０４段階に進行し、誤り(fail)である場合、７０５段階に進行する。即ち、前記受信器はＣＲＣ‘good’である場合、自己のパケットデータ制御情報が第１パケットデータ制御チャネルを通じて伝送されたと判断し、７０４段階に進行して該当チャネルからパケットデータ制御情報を得る。この時、得られたパケットデータ制御情報には第１パケットデータチャネルに
使用されたウォルシュ符号を指示する情報が含まれる。
【００５０】
一方、前記受信器は前記誤り検出符号検査結果、ＣＲＣ‘fail’である場合、７０５段階に進行して第２パケットデータ制御チャネルに対する受信及び復調過程を遂行する。ここで、前記７０１段階と７０５段階は図７のように連続的に遂行されることもでき、下記説明される図８の実施形態のように並列的に同時に遂行されることもできる。
【００５１】
前記受信器は７０５段階で前記第２パケットデータ制御チャネルのデータを受信及びこれに対する復調を遂行した後、７０６段階で前記第２パケットデータ制御チャネルに対する誤り検出符号検査を遂行する。この時、誤り検出符号の検査には前記第１パケットデータ制御チャネルに対する受信及び復調過程である７０１段階で得られた第１使用者パケットデータチャネルに使用されたウォルシュ符号を指示する情報であるウォルシュ空間指示情報が利用される。前記第１使用者パケットデータチャネルに使用されたウォルシュ符号を指示する情報を共に利用して誤り検出符号を検査する過程は、下記図１０で詳細に説明する。
【００５２】
前記受信器は７０７段階で前記誤り検出符号検査結果、誤りがない場合、７０８段階に進行し、誤りが発生した場合、これを終了する。即ち、７０７段階でＣＲＣ‘good’である場合、前記受信器は７０８段階で自己のパケットデータ制御情報が第２パケットデータ制御チャネルを通じて伝送されたと判断し、該当チャネルからパケットデータ制御情報を得る。もし、前記誤り検出符号検査結果、ＣＲＣ‘fail’である場合、前記受信器は該当時間区間の間自己のパケットデータ及びパケットデータ制御情報が伝送されなかったと判断して終了し、次の時間区間に対する受信動作を遂行するようになる。
【００５３】
前記図７に示された実施形態では二人の加入者にＴＤＭ/ＣＤＭが使用される場合を例に説明したので、前記７０７段階を遂行した以後にＣＲＣ‘fail’である場合、ルーティングが終了されることに示した。しかし、説明したように使用者の数を増加させることは一般的な例であるので、第３パケットデータ制御チャネルが存在する場合、これを遂行することができる。
【００５４】
図８は本発明の実施形態に従うパケットデータ制御チャネル受信器の構成及びその動作過程を示すブロック構成図である。
前記図８を参照すると、第１パケットデータ制御チャネルの復調結果得られた４８個のシンボルは、デインタリーバ８０１でデインタリービングされ逆パンクチュア８０２に入力される。前記逆パンクチュア８０２は入力された信号である前記デインタリーバ８０１からのシンボルを逆パンクチュアリングする。前記逆パンクチュア８０２により逆パンクチュアリングされたシンボルは畳み込み復号器８０３に入力され符号率Ｒ=１/２に畳み込み復号された後、誤り検出符号(例:ＣＲＣ)検査器８０４に入力される。前記誤り検出符号検査器８０４は受信制御器８０８の制御により自己の使用者識別子(ＭＡＣ ＩＤ)８０９情報を利用して誤り検出符号検査過程を遂行する。前記制御器８０８の詳細な制御動作は下記図９で説明される。前記誤り検出符号検査器８０４の検査結果に応じて判断器８０５は判断動作を遂行する。即ち、前記判断器８０５はＣＲＣ‘good’である場合、第１パケットデータ制御チャネルを通じて自己のパケットデータ制御情報が伝送されたと判断し、２ビットＳＰＩＤ、２ビットＡＲＱ ＩＤ、３ビットペイロードサイズ、５ビットウォルシュ符号情報の制御情報を得る。
【００５５】
前記デインタリーバ８０１乃至畳み込み符号器８０３と並列に、あるいは連続的に第２パケットデータ制御チャネル情報を抽出するためのデインタリーバ８１０、逆パンクチュア８１１及び畳み込み符号器８１２が設けられることができる。前記図８では前記構成要素が並列的に動作する例を示している。前記デインタリーバ８０１乃至畳み込み符号器８０３と同一の方法に前記デインタリーバ８１０乃至前記畳み込み符号器８１２により第２パケットデータ制御チャネルに対する受信過程が遂行される。前記第２パケットデータ制御チャネルに対する受信過程が遂行された後、誤り検出符号検査器８１３による検査動作が遂行される。前記誤り検出符号検査器８１３は前記第１パケットデータ制御チャネルに対する誤り検出符号検査結果に応じて検査動作を遂行する。即ち、前記誤り検出符号検査器８０５による第１パケットデータ制御チャネルの誤り検出符号検査結果に応じてＣＲＣ‘fail’である場合、誤り検出符号検査器８１３は第２パケットデータ制御チャネルに対する誤り検出符号検査を遂行する。前記誤り検出符号検査過程では前記制御器８０８により提供される第１使用者のウォルシュ空間指示情報８０７の５ビットと自己の使用者識別子(ＭＡＣ ＩＤ)８０９の６ビットが共に利用される。前記制御器８０８の詳細な制御動作は下記図１０で説明される。
【００５６】
前記誤り検出符号検査器８１３の検査結果に応じて判断器８１４は判断動作を遂行する。即ち、前記判断器８１４はＣＲＣ‘good’であると、第２パケットデータ制御チャネルを通じて自己のパケットデータ制御情報が伝送されたと判断し、２ビットＳＰＩＤ、２ビットＡＲＱ ＩＤ、３ビットペイロードサイズ、５ビットの第１使用者のウォルシュ空間指示情報、５ビットの第２使用者のウォルシュ空間指示情報などの制御情報を得る。このような方法に多数の使用者制御情報が共に伝送される場合にもこれを受信できるように受信器を構成することができる。
【００５７】
図９Ａ及び図９Ｂは本発明の望ましい実施形態に従う第１パケットデータ制御チャネル受信器の構成及びその動作過程のブロック構成を示す図で、特に第１パケットデータ制御チャネルに対する誤り検出符号(例:ＣＲＣ)検査のための装置及びその過程を具体的に示す図である。
【００５８】
前記図９Ａを参照すると、参照符号９０１は一般的に使用される誤り検出符号検査装置の構造を示している。参照符号９０２として示された２０ビットは図８に示された第１パケットデータ制御チャネルの畳み込み復号器８０３の出力シーケンスを示している。参照符号９０３として示された１２ビットは第１パケットデータ制御チャネルの誤り検出符号検査装置に対する入力シーケンスである。参照符号９０４は前記誤り検出符号検査器のスイッチ９１０、９１１、９１２に対するスイッチング動作を説明するための参照符号である。前記スイッチ９１０、９１１、９１２は上述した図５Ａ、図５Ｂ及び図６に示されたスイッチと同一の構造を有する。前記スイッチ９１０、９１１、９１２の動作は下記のようである。誤り検出符号検査装置の入力ビットの数、即ち１２ビットが入力されるまではスイッチ９１０、９１１、９１２が上に向けられており、その次の８ビットが入力される間に下に向けられている。参照符号９０５は前記誤り検出符号検査装置の出力ビットを示している。これは前記誤り検出符号検査装置の入力ビット１２ビットと８ビットの誤り検出符号で構成されている。参照符号９０６、９０７は前記誤り検出符号検査装置の出力ビットのうち誤り検出符号に該当する８ビットが自己の使用者識別子(ＭＡＣ ＩＤ)８０９と排他的論理和(Exclusive OR)演算され新たな誤り検出ビットが生成される過程を示している。本発明では使用者識別子(ＭＡＣ ＩＤ)が６ビットである場合を例に挙げているが、ＣＲＣ８ビットと排他的論理和(Exclusive OR)演算されるときビット数を同一にするために使用者識別子(ＭＡＣ ＩＤ)６ビットの前部分または後部分に二つのビットを‘００’に満たすようにする。例えば使用者識別子(ＭＡＣ ＩＤ)が‘０１０１１０’である場合、ＣＲＣ８ビットと排他的論理和(Exclusive OR)演算されるビットは‘０００１０１１０’または‘０１０１１０００’になる。参照符号９０８は前記過程により新たに生成された誤り検出符号８ビット９０７を前記第１パケットデータ制御チャネルの畳み込み復号器８０３の出力シーケンス９０２のＣＲＣと比較する過程を示す。二つのシーケンスが同一であると、ＣＲＣ‘good’に判断され、もし相異であるとＣＲＣ‘fail’に判断される。
【００５９】
図９Ｂに示したＣＲＣ検査器は図９Ａに示された構成とほぼ類似している。ただ、ＣＲＣを検出する９０５過程で差異がある。前記図９Ｂの９０５過程では図８に示されたＣＲＣ検査器８０４の出力のうち、８ビットＣＲＣとブロック符号化された自己のＭＡＣ ＩＤ８ビットを排他的論理和演算器９０９により排他的論理和演算し、新たなＣＲＣを生成する。このような実施形態は図１０に示された第２パケットデータ制御チャネル受信器にも同一に適用されることができる事実に留意すべきである。
【００６０】
前記図９Ｂに示された本発明の実施形態によると、端末機で制御情報を受信する動作は次のような段階に遂行される。
【００６１】
(段階１)  端末機は基地局から制御情報と使用者識別子情報を受信する。この時、前記基地局は送信されるパケットデータに対する制御情報に誤り検出符号(またはビット)を付加させ端末機に送信し、前記誤り検出ビットが付加された制御情報と共に前記送信されるパケットデータが受信される端末機を示す(ｎ,ｋ)(ここで、ｎは誤り検出ビットの数であり、ｋは使用者識別子情報のビット数)ブロック符号化された使用者識別子情報を送信する。
【００６２】
(段階２)  誤り検出ビット(例:ＣＲＣ)検査器８０４は前記誤り検出ビットが付加された制御情報を受信し、前記制御情報に付加された誤り検出ビットを検出する。
【００６３】
(段階３)  排他的論理和器９０９は前記検出された誤り検出ビットと前記(ｎ,ｋ)ブロック符号化された識別子情報を排他的論理和演算し、新たな誤り検出ビットを生成する。
【００６４】
(段階４)  判断器８０５は前記検出された誤り検出ビットと前記生成された誤り検出ビットを比較し、同一の場合、前記制御情報を該当する端末機の制御情報として受信する。
【００６５】
図１０は本発明の実施形態に従う第２パケットデータ制御チャネルの受信器に対する構成及びその動作過程のブロック構成図であり、特に、第２パケットデータ制御チャネルに対する誤り検出符号検査のための装置及びその過程を詳細に示す図である。
前記図１０を参照すると、参照符号１００１は一般的に使用される誤り検出符号検査装置の構造を示している。参照符号１００２の２０ビットは第２パケットデータ制御チャネルの畳み込み復号器８１２の出力シーケンスを示している。参照符号１００３の１７ビットは第２パケットデータ制御チャネルの誤り検出符号検査器８１３に対する入力シーケンスを示している。前記第２パケットデータ制御チャネルの誤り検出符号検査器８１３に対する入力シーケンス１００３の１７ビットは前記第２パケットデータ制御チャネルに対する畳み込み復号器８１２の出力部分１２ビット(第１使用者の制御情報７ビットと第２使用者パケットデータチャネルに使用されたウォルシュ符号を指示するウォルシュ空間指示情報５ビット)と共に第１パケットデータ制御チャネルの畳み込み復号器８０３から得られた第１使用者パケットデータチャネルに使用されたウォルシュ符号を指示するウォルシュ空間指示情報５ビットで構成されている。参照符号１００４は前記誤り検出符号検査装置のスイッチ１０１０、１０１１、１０１２に対するスイッチング動作を説明するための参照符号である。前記スイッチ１０１０、１０１１、１０１２は上述した図５Ａ、図５Ｂ、図６及び図９と同一の構成を有し、それに従う動作は下記のようである。前記スイッチ１０１０、１０１１、１０１２は誤り検出符号検査装置の入力ビットである１７ビットが入力されるまでは上に向けられており、その次の８ビットが入力される間に前記スイッチ１０１０、１０１１、１０１２は下に向けられている。
【００６６】
参照符号１００５は前記誤り検出符号検査装置の出力ビットを示す。これは前記誤り検出符号検査装置の入力ビット１７ビットと８ビットの誤り検出符号で構成されている。参照符号１００６、１００７は前記誤り検出符号検査装置の出力ビットのうち誤り検出符号に該当する８ビットを自己の使用者識別子(ＭＡＣ ＩＤ)８０９と排他的論理和(Exclusive OR)演算され新たな誤り検出ビットが生成される過程を示している。本発明では使用者識別子(ＭＡＣ ＩＤ)が６ビットである場合を例に挙げているが、ＣＲＣ８ビットと排他的論理和(Exclusive OR)演算されるときビット数を同一にするために使用者識別子(ＭＡＣ ＩＤ)６ビットの前部分または後部分に二つのビットを‘００’に満たすようにする。例えば、使用者識別子(ＭＡＣ ＩＤ)が‘０１０１１０’である場合、ＣＲＣ８ビットと排他的論理和(Exclusive OR)演算されるビットは‘０００１０１１０’または‘０１０１１０００’になる。参照符号１００８は前記過程により新たに生成された誤り検出符号８ビット１００７を前記参照符号１００２のＣＲＣと比較する過程を示す。二つのシーケンスが同一であると、ＣＲＣ‘good’に判断され、もし相異であるとＣＲＣ‘fail’に判断される。
【００６７】
本発明の詳細な説明では具体的な実施形態に説明したが、本発明の範囲から外れない限り各種変更が可能であることは自明であるだろう。例えば、本発明の詳細な説明では２個のＣＤＭが可能な場合を説明したが、それ以上のＣＤＭが使用されると、それに応じて同一の方法に拡張することができる。また本発明の望ましい実施形態の説明では誤り検出符号に８ビットが使用された場合を説明したが、これは１０、１２、１４、１６ビットに拡張され得ることは自明な事実である。また、図５Ｂ及び図９Ｂに示された実施形態は図５Ａ及び図９Ａに示したような第１パケットデータ制御チャネル送受信器だけではなく、図６及び図１０に示したような第２パケットデータ制御チャネル送受信器にも同一に適用できるだろう。したがって、本発明の範囲は説明した実施形態に局限して定められてはいけないし、特許請求の範囲だけでなくこの許請求の範囲と均等なものにより定められなければならない。
【図面の簡単な説明】
【００６８】
【図１】従来技術に従うパケットデータ制御チャネル送信器の構成を示す図。
【図２】従来技術に従うパケットデータ制御チャネル受信器の構成を示す図。
【図３】本発明の望ましい実施形態に従うパケットデータ制御チャネル送信動作の処理流れ図。
【図４】本発明の望ましい実施形態に従うパケットデータ制御チャネルに対する送信器のブロック構成図。
【図５Ａ】本発明の望ましい実施形態に従う第１パケットデータ制御チャネル送信器で誤り検出ビット付加部の構成及びその動作過程のブロック構成図。
【図５Ｂ】本発明の望ましい実施形態に従う第１パケットデータ制御チャネル送信器で誤り検出ビット付加部の構成及びその動作過程のブロック構成図。
【図６】本発明の望ましい実施形態に従う第２パケットデータ制御チャネル送信器で誤り検出ビット付加部の構成及びその動作過程のブロック構成図。
【図７】本発明の望ましい実施形態に従うパケットデータ制御チャネル受信動作の処理流れ図。
【図８】本発明の望ましい実施形態に従うパケットデータ制御チャネルに対する受信器のブロック構成図。
【図９Ａ】本発明の望ましい実施形態に従う第１パケットデータ制御チャネル受信器で誤り検出ビット付加部の構成及びその動作過程のブロック構成図。
【図９Ｂ】本発明の望ましい実施形態に従う第１パケットデータ制御チャネル受信器で誤り検出ビット付加部の構成及びその動作過程のブロック構成図。
【図１０】本発明の望ましい実施形態に従う第２パケットデータ制御チャネル受信器で誤り検出ビット付加部の構成及びその動作過程のブロック構成図。
【符号の説明】
【００６９】
４０１    制御器
４０２    誤り検出ビット付加部
４０３    テールビット付加部
４０４    畳み込み符号器
４０５    パンクチュア
４０６    インタリーバ
４０７    変調器
４０８    パケットデータチャネルスケジューラ
【図１】
2005510962.tif 000003
【図２】
2005510962.tif 000004
【図３】
2005510962.tif 000005
【図４】
2005510962.tif 000006
【図５Ａ】
2005510962.tif 000007
【図５Ｂ】
2005510962.tif 000008
【図６】
2005510962.tif 000009
【図７】
2005510962.tif 000010
【図８】
2005510962.tif 000011
【図９Ａ】
2005510962.tif 000012
【図９Ｂ】
2005510962.tif 000013
【図１０】
2005510962.tif 000014
【国際調査報告】
2005510962.tif 000015
2005510962.tif 000016